【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  受信系統からの入力信号が供給される被減算端子および送受アンテナ間の回り込みをキャンセルするための信号が供給される減算端子を有している減算器と、
該減算器の出力信号が入力され受信信号を増幅して再送信するための増幅器の入出力信号のいずれか一方の信号が分岐されて供給され回り込み信号の複製を発生して前記減算器の減算端子に供給するＦＩＲフィルタと、
前記増幅器の入出力信号のいずれか一方の信号が分岐されて供給され入力された時間領域の信号をＦＦＴまたはＤＦＴして周波数領域の信号に変換して出力するＦＦＴまたはＤＦＴ回路と、
該ＦＦＴまたはＤＦＴ回路からの信号をその送信信号の推定値で除算することで伝達関数を算出して出力する複素除算回路（Ａ）と、
該複素除算回路（Ａ）から出力される伝達関数から回り込みのキャンセル残差の周波数特性を算出して出力するキャンセル残差演算回路と、
該キャンセル残差演算回路から出力される回り込みキャンセル残差の周波数特性をＩＦＦＴまたはＩＤＦＴして時間領域の回り込みキャンセル残差のインパルス応答を算出するＩＦＦＴまたはＩＤＦＴ回路と、
該ＩＦＦＴまたはＩＤＦＴ回路から出力された回り込みキャンセル残差のインパルス応答から前記ＦＩＲフィルタを制御する部分だけを抽出して逐次更新して前記ＦＩＲフィルタに係数として供給する係数抽出回路とからなる回り込みキャンセラにおいて、
前記複素除算回路（Ａ）が、前記ＦＦＴまたはＤＦＴ回路から出力される複素の実部と虚部で表される直交座標の信号を振幅と位相で表される極座標の信号に変換して出力する極座標変換回路と、
該極座標変換回路の出力信号のうち位相の信号が入力されており、入力信号に位相変調の相数を示すＭを乗算して出力する乗算器と、
該乗算器からの信号が入力されており、入力信号の位相変調の変調成分を除去して出力する変調除去回路と、
該変調除去回路からの信号を前記Ｍで除算して出力する除算器と、
該除算器からの信号と、前記極座標変換回路からの信号のうち振幅の信号とが入力されており、極座標の信号である入力信号を直交座標に変換して出力する直交座標変換回路とを少なくとも具えてなることを特徴とする回り込みキャンセラ。
【請求項２】  請求項１記載の回り込みキャンセラにおいて、前記変調除去回路が、
当該回路への入力信号を２πで除算して出力する１／２π除算回路と、
該１／２π除算回路からの信号の小数点以下を丸め処理して出力する切り捨て回路と、
該切り捨て回路からの信号に２πを乗算して出力する２π乗算回路と、
該２π乗算回路からの信号を前記変調除去回路の入力信号から減算することによって、位相変調の変調成分を除去して出力するように構成したことを特徴とする回り込みキャンセラ。
【請求項３】  請求項１または２記載の回り込みキャンセラにおいて、該回り込みキャンセラは、
前記変調除去回路と前記直交座標変換回路との間の位相成分の信号経路に、さらに位相の不連続を検出して補正する位相連続化回路が介挿されていることを特徴とする回り込みキャンセラ。
【請求項４】  請求項１乃至３のいずれか一項記載の回り込みキャンセラにおいて、該回り込みキャンセラは、
前記変調除去回路と前記直交座標変換回路との間の位相成分の信号経路に、さらにＦＦＴウインドウの位相ずれに起因する位相傾斜特性を検出して除去する一次傾斜除去回路が介挿されていることを特徴とする回り込みキャンセラ。
【手続補正２】
【補正対象書類名】明細書
【補正対象項目名】００１７
【補正方法】変更
【補正の内容】
【００１７】
【課題を解決するための手段】
上記目的を達成するために、本発明回り込みキャンセラは、受信系統からの入力信号が供給される被減算端子および送受アンテナ間の回り込みをキャンセルするための信号が供給される減算端子を有している減算器と、該減算器の出力信号が入力され受信信号を増幅して再送信するための増幅器の入出力信号のいずれか一方の信号が分岐されて供給され回り込み信号の複製を発生して前記減算器の減算端子に供給するＦＩＲフィルタと、前記増幅器の入出力信号のいずれか一方の信号が分岐されて供給され入力された時間領域の信号をＦＦＴまたはＤＦＴして周波数領域の信号に変換して出力するＦＦＴまたはＤＦＴ回路と、該ＦＦＴまたはＤＦＴ回路からの信号をその送信信号の推定値で除算することで伝達関数を算出して出力する複素除算回路（Ａ）と、該複素除算回路（Ａ）から出力される伝達関数から回り込みのキャンセル残差の周波数特性を算出して出力するキャンセル残差演算回路と、該キャンセル残差演算回路から出力される回り込みキャンセル残差の周波数特性をＩＦＦＴまたはＩＤＦＴして時間領域の回り込みキャンセル残差のインパルス応答を算出するＩＦＦＴまたはＩＤＦＴ回路と、該ＩＦＦＴまたはＩＤＦＴ回路から出力された回り込みキャンセル残差のインパルス応答から前記ＦＩＲフィルタを制御する部分だけを抽出して逐次更新して前記ＦＩＲフィルタに係数として供給する係数抽出回路とからなる回り込みキャンセラにおいて、前記複素除算回路（Ａ）が、前記ＦＦＴまたはＤＦＴ回路から出力される複素の実部と虚部で表される直交座標の信号を振幅と位相で表される極座標の信号に変換して出力する極座標変換回路と、該極座標変換回路の出力信号のうち位相の信号が入力されており、入力信号に位相変調の相数を示すＭを乗算して出力する乗算器と、該乗算器からの信号が入力されており、入力信号の位相変調の変調成分を除去して出力する変調除去回路と、該変調除去回路からの信号を前記Ｍで除算して出力する除算器と、該除算器からの信号と、前記極座標変換回路からの信号のうち振幅の信号とが入力されており、極座標の信号である入力信号を直交座標に変換して出力する直交座標変換回路とを少なくとも具えてなることを特徴とするものである。
【手続補正３】
【補正対象書類名】明細書
【補正対象項目名】００１８
【補正方法】変更
【補正の内容】
【００１８】
また、本発明回り込みキャンセラは、前記変調除去回路が、当該回路への入力信号を２πで除算して出力する１／２π除算回路と、該１／２π除算回路からの信号の小数点以下を丸め処理して出力する切り捨て回路と、該切り捨て回路からの信号に２πを乗算して出力する２π乗算回路と、該２π乗算回路からの信号を前記変調除去回路の入力信号から減算することによって、位相変調の変調成分を除去して出力するように構成したことを特徴とするものである。
【手続補正４】
【補正対象書類名】明細書
【補正対象項目名】００１９
【補正方法】変更
【補正の内容】
【００１９】
また、本発明回り込みキャンセラは、前記変調除去回路と前記直交座標変換回路との間の位相成分の信号経路に、さらに位相の不連続を検出して補正する位相連続化回路が介挿されていることを特徴とするものである。
【手続補正５】
【補正対象書類名】明細書
【補正対象項目名】００２０
【補正方法】変更
【補正の内容】
【００２０】
また、本発明回り込みキャンセラは、前記変調除去回路と前記直交座標変換回路との間の位相成分の信号経路に、さらにＦＦＴウインドウの位相ずれに起因する位相傾斜特性を検出して除去する一次傾斜除去回路が介挿されていることを特徴とするものである。
【手続補正６】
【補正対象書類名】明細書
【補正対象項目名】００２４
【補正方法】変更
【補正の内容】
【００２４】
除算器１５、切り捨て回路１６、乗算器１７および減算器１８で構成され、破線枠で囲んで示す変調除去回路１９は、その直前の乗算器１４を含めて次式の演算を行う回路である。
【数１０】
2000349734.tif 000001
ここで、Ｍは、Ｍ相ＰＳＫ−ＯＦＤＭ信号のＭであり、地上ディジタル放送方式で検討されているπ／４シフトＤＱＰＳＫ−ＯＦＤＭにおいてはＭ＝４となる。ただし、(10)式中、ＦＬＲ
【外１】
2000349734.tif 000002
は、小数点以下の数字を切り捨てて整数化する処理を示すもので、切り捨て回路１６にて実現する。
【手続補正７】
【補正対象書類名】明細書
【補正対象項目名】００２５
【補正方法】変更
【補正の内容】
【００２５】
以上により変調を除去した信号を除算器２０に入力して、次式によりθ(i,k)を求める。
【数１１】
2000349734.tif 000003
こうして求めたθ(i,k)および(9)式のｒ(i,k)を直交座標変換回路２１において実部、虚部の複素信号に逆変換する。回り込み伝達関数Ｆ(i,k)の実部および虚部をＦＩ(i,k)，ＦＱ(i,k)とすると、それぞれ次式で表すことができる。
【数１２】
2000349734.tif 000004
【数１３】
2000349734.tif 000005
【手続補正８】
【補正対象書類名】明細書
【補正対象項目名】００３１
【補正方法】変更
【補正の内容】
【００３１】
まず、キャリア間の位相差を次式により求める。
【数１８】
2000349734.tif 000006
【手続補正９】
【補正対象書類名】明細書
【補正対象項目名】００３５
【補正方法】変更
【補正の内容】
【００３５】
〔外３〕とSlantを一次傾斜除去回路２４にそれぞれ入力することによって、ＯＦＤＭ復調時のＦＦＴウインドウの位相ずれに起因する位相傾斜特性が、除算器２０までの回路で次式の演算により除去される。
【数２４】
2000349734.tif 000007